(57)【要約】【課題】  少なくとも２つ光学素子から構成された対物レンズ内に光軸に対し非回転対称な温度分布が発生した場合の非点収差の変化量が小さく、高密度光ディスクに対して安定した情報の記録／再生を高速に行うことが出来る光ピックアップ装置用の対物レンズ、この対物レンズを用いた光ピックアップ装置、及びこの光ピックアップ装置を用いた光情報記録再生装置を提供する。【解決手段】  光源側に配置された第1光学素子と、光情報記録媒体側に配置された集光性能を持つ第2光学素子の少なくとも２つ以上の光学素子で構成される光ピックアップ装置用の対物レンズにおいて、前記第1光学素子がプラスチック樹脂に、直径が３０ｎｍ以下の無機粒子を分散させた樹脂材料を成型して得られる。【選択図】図１
2006048865.tif 000002
【特許請求の範囲】
【請求項１】
光源側に配置された第1光学素子と、光情報記録媒体側に配置された集光性能を持つ第2光学素子の少なくとも２つ以上の光学素子で構成される光ピックアップ装置用の対物レンズにおいて、
前記第1光学素子がプラスチック樹脂に、直径が３０ｎｍ以下の無機粒子を分散させた樹脂材料を成型して得られることを特徴とする光ピックアップ装置用の対物レンズ。
【請求項２】
請求項１に記載の光ピックアップ装置用の対物レンズであって、
前記第１光学素子が集光性能を持つことを特徴とする光ピックアップ装置用の対物レンズ。
【請求項３】
請求項１に記載の光ピックアップ装置用の対物レンズであって、
前記第１光学素子の光学面が、通過光束に対して屈折力を持たない平面であることを特徴とする光ピックアップ装置用の対物レンズ。
【請求項４】
請求項１〜３のいずれか一項に記載の光ピックアップ装置用の対物レンズであって、
前記第2光学素子がガラス製であることを特徴とする光ピックアップ装置用の対物レンズ。
【請求項５】
請求項１〜３のいずれか一項に記載の光ピックアップ装置用の対物レンズであって、
前記第2光学素子がプラスチック樹脂に、直径が３０ｎｍ以下の無機粒子を分散させた樹脂材料を成形して得られることを特徴とする光ピックアップ装置用の対物レンズ。
【請求項６】
請求項１〜５のいずれか一項に記載の光ピックアップ装置用の対物レンズであって、
前記第1光学素子の前記光源側の光学面と前記光情報記録媒体側の光学面との光軸上の間隔をτ、温度１°上昇時における前記樹脂材料の屈折率変化量をAとしたとき、次式(1)を満たすことを特徴とする光ピックアップ装置用の対物レンズ。
【数１】
2006048865.tif 000014
【請求項７】
請求項１〜６のいずれか一項に記載の光ピックアップ装置用の対物レンズであって、
前記光ピックアップ装置が前記光情報記録媒体に対する情報の記録及び再生のうち少なくとも一方をx倍速で行うものであり、
前記第1光学素子の前記光源側の光学面と前記光情報記録媒体側の光学面との光軸上の間隔をτ、温度１°上昇時における前記樹脂材料の屈折率変化量をAとしたとき、次式(3)を満たすことを特徴とする光ピックアップ装置用の対物レンズ。
【数２】
2006048865.tif 000015
【請求項８】
請求項１〜７のいずれか一項に記載の光ピックアップ装置用の対物レンズであって、
前記第1光学素子の光源側の光学面の有効径をE1、前記第1光学素子の光軸からもっとも離れた位置までの距離をD1としたときに次式(4)を満たすことを特徴とする光ピックアップ装置用の対物レンズ。
【数３】
2006048865.tif 000016
【請求項９】
請求項１〜８のいずれか一項に記載の光ピックアップ装置用の対物レンズであって、
前記第1光学素子の少なくとも1つの光学面に位相構造を持つことを特徴とする光ピックアップ装置用の対物レンズ。
【請求項１０】
請求項１〜９のいずれか一項に記載の光ピックアップ装置用の対物レンズであって、
前記プラスチック樹脂の温度変化に伴う屈折率変化をｄｎ1／ｄｔ1とし、前記無機粒子の温度変化に伴う屈折率変化をｄｎ2／ｄｔ2と表すとき、ｄｎ1／ｄｔ1とｄｎ2／ｄｔ2の符号が互いに異なることを特徴とする光ピックアップ装置用の対物レンズ。
【請求項１１】
請求項１〜１０のいずれか一項に記載の光ピックアップ装置用の対物レンズであって、
前記第1光学素子が、以下の(５)式を満たすことを特徴とする光ピックアップ装置用の対物レンズ。
｜Ａ｜  ＜  ８  ×  １０-5          （5）
【請求項１２】
請求項１〜１１のいずれか一項に記載の光ピックアップ装置用の対物レンズであって、
前記無機粒子が、無機酸化物であることを特徴とする光ピックアップ装置用の対物レンズ。
【請求項１３】
請求項１２に記載の光ピックアップ装置用の対物レンズであって、
前記無機酸化物が飽和酸化状態であることを特徴とする光ピックアップ装置用の対物レンズ。
【請求項１４】
請求項１〜１３のいずれか一項に記載の光ピックアップ装置用の対物レンズであって、
前記樹脂材料が酸化防止剤を含有することを特徴とする光ピックアップ装置用の対物レンズ。
【請求項１５】
請求項１〜１４のいずれか一項に記載の光ピックアップ装置用の対物レンズであって、
前記プラスチック樹脂と前記無機粒子との体積比が９：１〜３：２の範囲であることを特徴とする光ピックアップ装置用の対物レンズ。
【請求項１６】
請求項１〜１５のいずれか一項に記載の光ピックアップ装置用の対物レンズであって、
前記第1光学素子に対して前記無機粒子を５〜８０重量％有することを特徴とする光ピックアップ装置用の対物レンズ。
【請求項１７】
請求項１〜１６のいずれか一項に記載の光ピックアップ装置用の対物レンズを備えたことを特徴とする光ピックアップ装置。
【請求項１８】
請求項１７に記載の光ピックアップ装置を搭載して光情報記録媒体に対する情報の記録及び再生のうち、少なくとも一方を実行可能であることを特徴とする光情報記録再生装置。
【発明の詳細な説明】
【技術分野】
【０００１】
本発明は、光ピックアップ装置用の対物レンズ、光ピックアップ装置及び光情報記録再生装置に関する。
【背景技術】
【０００２】
近年の光ディスク（光情報記録媒体）の高密度化に伴い、光ディスクへの記録/再生に使用される光ピックアップ装置の対物レンズは、集光スポットをより小さくするという要求からその開口数（NA）が高いものが用いられるようになっている。
例えば、波長λが405nmの青紫色半導体レーザー光源を使用する高密度光ディスク用の光ピックアップ装置では、高密度化を達成するために開口数NAが0.85の対物レンズを用いることが提案されている。
開口数が0.85の対物レンズとして、入射光束に対する屈折力を二つのレンズに分担させ、個々のレンズの製造公差を緩和することでNA0.85を達成し、アクチュエータからの放熱や、光ピックアップ装置の外部温度の変化により発生する球面収差の変化が小さく押さえられた２群プラスチックレンズが以下の特許文献１に記載されている。
【特許文献１】特開２００３−２４８９５６号公報
【発明の開示】
【発明が解決しようとする課題】
【０００３】
光ピックアップ装置では、一般に、アクチュエータにより対物レンズを光軸方向、ディスクの径方向に移動させることでフォーカシングやトラッキングを行う。この際アクチュエータを構成するフォーカシングコイルやトラッキングコイルに通電することでコイルに生じる磁場とマグネットとの間に生じる磁力を利用し、対物レンズを駆動させるようになっている。
【０００４】
ところが、高NAレンズに樹脂を使用し、上記のように駆動させる場合、以前までの構成にはない問題が生じる。フォーカシングコイルやトラッキングコイルを対物レンズの光軸に関して、回転対称と成る様に設計・配置することはアクチュエータの設計上困難であるので、アクチュエータの作動中には、対物レンズ内に光軸に対して非回転対称な温度分布が生じ、その結果、対物レンズの非点収差が変化する。特に、対物レンズを複数群構成とする場合には、NA0.85の光線に対する屈折面が増える為、各々のレンズ内での光線通過高さの変化が小さく、温度分布に伴う屈折率変化の影響を受けやすい。更に、情報の記録／再生を行う速度を速くすると、フォーカシングコイルやトラッキングコイルにより大きな電流を流す必要が在り、コイルの発熱量が大きくなる。そのため、上述した非点収差変化が大きくなり、光ディスクに対する記録／再生特性に悪影響を及ぼす。
【０００５】
しかし、特許文献１に開示された技術は、対物レンズに生じる温度変化が均一に分布している場合に変化する球面収差を補正する技術であり、上述した様に、フォーカシングコイルやトラッキングコイルに通電した際に生じる熱による、対物レンズ内の不均一な温度分布に起因した非点収差劣化の問題についての記載は無く、勿論何ら対策も講じられていない。
【０００６】
本発明の課題は、上述の問題を解決したものであり、少なくとも２つ光学素子から構成された対物レンズ内に光軸に対し非回転対称な温度分布が発生した場合の非点収差の変化量が小さく、高密度光ディスクに対して安定した情報の記録／再生を高速に行うことが出来る光ピックアップ装置用の対物レンズ、この対物レンズを用いた光ピックアップ装置、及びこの光ピックアップ装置を用いた光情報記録再生装置を提供することである。
【課題を解決するための手段】
【０００７】
本明細書においては、情報の記録／再生用の光源として、青紫色半導体レーザや青紫色ＳＨＧレーザを使用する光ディスクを総称して「高密度光ディスク」といい、ＮＡ０．８５の対物光学系により情報の記録／再生を行い、保護層の厚さが０．１ｍｍ程度である規格の光ディスク（例えば、ブルーレイディスク）の他に、ＮＡ０．６５乃至０．６７の対物光学系により情報の記録／再生を行い、保護層の厚さが０．６ｍｍ程度である規格の光ディスク（例えば、ＨＤ  ＤＶＤ）も含むものとする。また、このような保護層をその情報記録面上に有する光ディスクの他に、情報記録面上に数〜数十ｎｍ程度の厚さの保護膜を有する光ディスクや、保護層或いは保護膜の厚さが０の光ディスクも含むものとする。また、本明細書においては、高密度光ディスクには、情報の記録／再生用の光源として、青紫色半導体レーザや青紫色ＳＨＧレーザを使用する光磁気ディスクも含まれるものとする。
また、本明細書においては、ＤＶＤとは、ＤＶＤ−ＲＯＭ、ＤＶＤ−Ｖｉｄｅｏ、ＤＶＤ−Ａｕｄｉｏ、ＤＶＤ−ＲＡＭ、ＤＶＤ−Ｒ、ＤＶＤ−ＲＷ、ＤＶＤ＋Ｒ、ＤＶＤ＋ＲＷ等のＤＶＤ系列の光ディスクの総称であり、ＣＤとは、ＣＤ−ＲＯＭ、ＣＤ−Ａｕｄｉｏ、ＣＤ−Ｖｉｄｅｏ、ＣＤ−Ｒ、ＣＤ−ＲＷ等のＣＤ系列の光ディスクの総称である。
【０００８】
以上の課題を解決するために、請求項１記載の発明は、光源側に配置された第1光学素子と、光情報記録媒体側に配置された集光性能を持つ第2光学素子の少なくとも２つ以上の光学素子で構成される光ピックアップ装置用の対物レンズにおいて、前記第1光学素子がプラスチック樹脂に、直径が３０ｎｍ以下の無機粒子を分散させた樹脂材料を成型して得られることを特徴とする。
【０００９】
先ず、ここで本明細書における対物レンズの温度分布について定義する（第5図参照）。アクチュエータ（図示せず）の駆動時（コイルへの通電時）、第１面（第１光学素子Ｌ１の光源側の光学面）の面頂点Ｐ１の温度をＴ１（℃）、第４面（第２光学素子Ｌ２の光記録媒体側光学面）の面頂点Ｐ２の温度をＴ２（℃）、第１光学素子Ｌ１のレンズ厚さ（光軸上の光学面の間隔）の中点を通り光軸に垂直な任意の線ＣＬと、光線を中心として線ＣＬを９０度回転させた線ＣＬ'とが、接合部材SEの外周と交わる点Ｐ３、Ｐ４、Ｐ５、Ｐ６の温度をそれぞれＴ３（℃）、Ｔ４（℃）、Ｔ５（℃）、Ｔ６（℃）とし、Ｔ３〜Ｔ６の内もっとも高い温度をＴＨ、最も低い温度をＴＬとし、Ｔ１とＴ２の平均温度をＴＣとしたとき、周方向の温度分布ＴＰと径方向の温度分布ＴＲとが、以下の２条件式（６）及び（７）を満たしている場合に「対物レンズ内に不均一な温度分布が生じている」と定義する。
ＴＰ＝｜ＴＨ−ＴＬ｜＞０．５                        （6）
ＴＲ＝｜ＴＨ−ＴＣ｜＞０．５                        （7）
また「対物レンズ内の温度分布が均一である」とは、式（6）、（7）を同時に満たさない場合を指す。
【００１０】
また、これら全ての温度は対物レンズ内の温度分布変化が定常状態となった後に測定した値とする。本明細書において「対物レンズ内の温度分布変化が定常状態になる」とは、温度変化率の絶対値が、Ｐ１〜Ｐ６（図５参照）の全ての測定点で０．１℃／分 以下である状態を指す。
【００１１】
また、本明細書において、「対物レンズ」とは、光ピックアップ装置において光ディスクに対向する位置に配置され、光源から射出された波長が互いに異なる光束を、記録密度が互いに異なる光ディスクのそれぞれの情報記録面上に集光する機能を有する集光素子と、該集光素子と一体となってアクチュエータによりトラッキング及びフォーカシング駆動される光学素子とから構成されるレンズ群を指すものとする。
また、本明細書において開口数ＮＡとは、光ディスクの規格で規定されている開口数、或いは、光ディスクに対して情報の記録及び／又は再生を行うために必要なスポット径を得ることができる、回折限界性能を有する対物光学系の像側開口数を指すものとする。
【００１２】
複数群構成の高NAレンズであって、光源側に配置される光学素子（第１光学素子）も集光性能を持つ場合には、光情報記録媒体側に配置される光学素子（第２光学素子）に比べ、第１光学素子におけるマージナル光線の通過高さが高い。そのため、NA0.85の光線は温度分布に伴う対物レンズの屈折率分布の影響を第1光学素子において受けやすい。
【００１３】
請求項1に記載の発明によれば、光源側に配置された第1光学素子を上記樹脂材料で成形するので、受ける温度分布に伴う屈折率変化の影響を低減する事が出来、少なくとも2群以上の構成から成る対物レンズをフォーカシングやトラッキングする際、フォーカシングコイルやトラッキングコイルに通電されたことに起因して発生する非点収差を小さく抑える事が可能である。
【００１４】
請求項２記載の発明は、請求項１に記載の光ピックアップ装置用の対物レンズであって、
前記第１光学素子が集光性能を持つことを特徴とする。
【００１５】
請求項２に記載の発明によれば、光源側に配置される第１光学素子が集光性能を持つので、温度分布に伴う対物レンズの屈折率分布の影響を第1光学素子において抑えることができる。
【００１６】
請求項３記載の発明は、請求項１に記載の光ピックアップ装置用の対物レンズであって、前記第１光学素子の光学面が、通過光束に対して屈折力を持たない平面であることを特徴とする。
【００１７】
請求項3に記載の発明によれば、NA0.85の光線は第1光学素子において屈折される事がなく、第2光学素子で屈折されるために、第2光学素子の情報記録面側の光学面と情報記録面の保護層の間隔（作動距離）を大きくする事が出来るので、対物レンズと情報記録面の保護層との干渉を防ぐ事が可能である。
【００１８】
請求項４記載の発明は、請求項１〜３のいずれか一項に記載の光ピックアップ装置用の対物レンズであって、前記第2光学素子がガラス製であることを特徴とする。
【００１９】
請求項４に記載の発明によれば、第２光学素子をガラス製とすることで、第2光学素子で受ける温度分布に伴う屈折率変化の影響も低減する事が出来るので、少なくとも2群以上の構成から成る対物レンズをフォーカシングやトラッキングする際、フォーカシングコイルやトラッキングコイルに通電されたことに起因して発生する非点収差を小さく抑える事が可能である。
【００２０】
請求項５記載の発明は、請求項１〜３のいずれか一項に記載の光ピックアップ装置用の対物レンズであって、前記第2光学素子がプラスチック樹脂に、直径が３０ｎｍ以下の無機粒子を分散させた樹脂材料を成形して得られることを特徴とする。
【００２１】
請求項５に記載の発明によれば、第２光学素子を上記樹脂材料で成形することで、第2光学素子で受ける温度分布に伴う屈折率変化の影響も低減する事が出来るので、少なくとも2群以上の構成から成る対物レンズをフォーカシングやトラッキングする際、フォーカシングコイルやトラッキングコイルに通電されたことに起因して発生する非点収差を小さく抑える事が可能である。
【００２２】
請求項６記載の発明は、請求項１〜５のいずれか一項に記載の光ピックアップ装置用の対物レンズであって、前記第1光学素子の前記光源側の光学面と前記光情報記録媒体側の光学面との光軸上の間隔をτ、温度１°上昇時における前記樹脂材料の屈折率変化量をAとしたとき、次式(1)を満たすことを特徴とする。
【数１】
2006048865.tif 000003
【００２３】
通常、温度１°上昇時における前記樹脂材料の屈折率変化量Aは可能な限り小さい値と成る事が望ましい。又、上記τが大きいと、不均一な温度分布が生じている光路が長くなる。つまり、τとＡとの間には反比例の関係が成立しており、実験結果により、τ、｜A｜の関係を(1)式の上限以下にすることで、対物レンズ内に不均一な温度分布が生じた場合でも、対物レンズの温度分布の不均一性に起因して発生する非点収差を小さく抑えることが出来ることが分かった。
【００２４】
請求項７記載の発明は、請求項１〜６のいずれか一項に記載の光ピックアップ装置用の対物レンズであって、前記光ピックアップ装置が前記光情報記録媒体に対する情報の記録及び再生のうち少なくとも一方をx倍速で行うものであり、前記第1光学素子の前記光源側の光学面と前記光情報記録媒体側の光学面との光軸上の間隔をτ、温度１°上昇時における前記樹脂材料の屈折率変化量をAとしたとき、次式(3)を満たすことを特徴とする。
【数２】
2006048865.tif 000004
【００２５】
通常の光ピックアップ装置では、高倍速で情報の記録／再生を行う為には、フォーカシングコイルや、トラッキングコイルに低倍速時よりも大きい電流を流す必要が在り、コイルからの発熱量が大きくなる。ここで、1倍速とは、光源から射出された光束が対物レンズにより集光されたスポットが、情報記録面を走査する速度(Reference scanning velocity)が約4.5m/s〜約6.6m/sであることを言う。又、x倍速とはスポットが、情報記録面を走査する速度(Reference scanning velocity)が上記１倍速のx倍であることをいう。
【００２６】
請求項７に記載の発明によれば、x、τ、A、の関係を(3)式の上限以下にすることで、ｘ倍速で情報の記録／再生を行った場合でも、対物レンズ内に不均一な温度分布が生じた場合に、かかる対物レンズの温度分布の不均一性に起因して発生する非点収差を小さく抑えることができ、高密度光ディスクに対して高速で安定した情報の記録／再生を行うことが出来る。
【００２７】
請求項８記載の発明は、請求項１〜７のいずれか一項に記載の光ピックアップ装置用の対物レンズであって、前記第1光学素子の光源側の光学面の有効径をE1、前記第1光学素子の光軸からもっとも離れた位置までの距離をD1としたときに次式(4)を満たすことを特徴とする。
【数３】
2006048865.tif 000005
【００２８】
請求項８に記載の発明によれば、E1,D1（図２を参照）を(4)式の上限未満にすることはレンズの外径に対する有効径の割合を小さくすることであり、熱源であるフォーカシングコイルやトラッキングコイルからの距離が大きくなることに対応しており、光学機能部内における温度分布の不均一性が低減される。又、E1,D1を(4)式の下限以上にすることで、対物レンズの外径が大きくなりすぎることを防ぐ。
【００２９】
請求項９記載の発明は、請求項１〜８のいずれか一項に記載の光ピックアップ装置用の対物レンズであって、前記第1光学素子の少なくとも1つの光学面に位相構造を持つことを特徴とする。
【００３０】
請求項９のように、成形性の観点から、プラスチック製の光学素子に位相構造を設けることが好ましい。
位相構造は、光ピックアップ装置が複数の光ディスク間で互換性を有する場合には、複数の光ディスク間における保護層厚の差に起因する球面収差を補正するために用いることができるが、更に、使用波長の波長差に起因する色収差も補正するものとしてもよい。なお、ここでいう色収差とは、波長差に起因する近軸像点位置の差（軸上色収差）、及び／又は、波長差に起因する球面収差を指す。
【００３１】
上述の位相構造は、回折構造、光路差付与構造の何れであっても良い。回折構造としては、図６に模式的に示すように、複数の輪帯１００から構成され、光軸を含む断面形状が鋸歯形状であるもの（回折構造ＤＯＥ）や、図７に模式的に示すように、段差１０１の方向が有効径内で同一である複数の輪帯１０２から構成され、光軸を含む断面形状が階段形状であるもの（回折構造ＤＯＥ）や、図８に模式的に示すように、段差１０４の方向が有効径途中で入れ替わる複数の輪帯１０５から構成され、光軸を含む断面形状が階段形状であるもの（回折構造ＤＯＥ）や、図９に模式的に示すように、内部に階段構造が形成された複数の輪帯１０３から構成されるもの（回折構造ＨＯＥ）がある。また、光路差付与構造としては、図８に模式的に示すように、段差１０４の方向が有効径途中で入れ替わる複数の輪帯１０５から構成され、光軸を含む断面形状が階段形状であるもの（ＮＰＳ）がある。尚、図７乃至図９は、各位相構造を平面上に形成した場合を模式的に示したものであるが、各位相構造を球面或いは非球面上に形成しても良い。また、回折構造或いは光路差付与構造の何れであっても、図８に模式的に示したような構造となる場合がある。
【００３２】
請求項１０記載の発明は、請求項１〜９のいずれか一項に記載の光ピックアップ装置用の対物レンズであって、前記プラスチック樹脂の温度変化に伴う屈折率変化をｄｎ1／ｄｔ1とし、前記無機粒子の温度変化に伴う屈折率変化をｄｎ2／ｄｔ2と表すとき、ｄｎ1／ｄｔ1とｄｎ2／ｄｔ2の符号が互いに異なることを特徴とする。
【００３３】
請求項１０に記載の発明によれば、環境の温度変化が変化したとき、ｄｎ1／ｄｔ1とｄｎ2／ｄｔ2が相殺し、第1光学素子全体の屈折率の変化はプラスチック樹脂のみで構成した場合より小さくなるので、不均一な温度分布による非点収差変化を低減する事が可能である。
【００３４】
請求項１１記載の発明は、請求項１〜１０のいずれか一項に記載の光ピックアップ装置用の対物レンズであって、前記第1光学素子が、以下の(５)式を満たすことを特徴とする。
｜Ａ｜  ＜  ８  ×  １０-5          （5）
【００３５】
屈折率の温度変化Ａは、ローレンツ・ローレンツの式に基づいて、屈折率nを温度tで微分することにより、上記(2)式で表される。
プラスチック素材の場合は、一般に式（２）中の第１項に比べ第２項の寄与が小さくほぼ無視できる。例えば、ＰＭＭＡ樹脂の場合、線膨張係数αは７×１０−５であり、(2)式に代入すると、Ａ＝−１．２×１０−４となり、実測値とおおむね一致する。
【００３６】
ここで、本発明では、微粒子、好ましくは無機微粒子をプラスチック材料中に分散させることにより、実質的に式中の第２項の寄与を大きくし、第１項の線膨張による変化と打ち消しあうようにさせている。
具体的には、従来は−１．２×１０−４程度であった屈折率変化Ａを、絶対値で８×１０−５未満に抑えることが好ましく、より好ましくは絶対値で６×１０−５未満にすることがよい。そして、さらに好ましくは絶対値で４×１０−５未満にするのがよい。
【００３７】
また、第２項の寄与をさらに大きくして、母材のプラスチック材料とは逆の温度特性を持たせることも可能である。つまり、温度が上昇することによって屈折率が低下するのではなく、逆に屈折率が上昇するような素材を得ることもできる。
なお、この体積比率は、屈折率の温度に対する変化の割合をコントロールするために、適宜増減できるし、複数種類のナノサイズ無機粒子をブレンドして分散させることも可能である。
【００３８】
一般的なプラスチック材料の屈折率の温度変化（＝ｄｎ1／ｄt1）を表１に示す。
また、本発明で適用可能な無機材料の屈折率の温度変化（＝ｄｎ2／ｄt2）は、プラスチック材料と符号の向きが変わる。その一例を表２に示す。
【表１】
2006048865.tif 000006
【表２】
2006048865.tif 000007
【００３９】
請求項１２記載の発明は、請求項１〜１１のいずれか一項に記載の光ピックアップ装置用の対物レンズであって、前記無機粒子が、無機酸化物であることを特徴とする。
【００４０】
請求項１３記載の発明は、請求項１２に記載の光ピックアップ装置用の対物レンズであって、前記無機酸化物が飽和酸化状態であることを特徴とする。
【００４１】
請求項１４記載の発明は、請求項１〜１３のいずれか一項に記載の光ピックアップ装置用の対物レンズであって、前記樹脂材料が酸化防止剤を含有することを特徴とする。
【００４２】
本発明の微粒子は無機物であることが好ましく、さらに酸化物であることが好ましい。そして、酸化状態が飽和していて、それ以上酸化しない酸化物であることが好ましい。無機物であることは、高分子有機化合物であるプラスチック材料との反応を低く抑えられるために好ましく、また酸化物であることによって、使用に伴う劣化を防ぐことができる。また、酸化防止剤を添加することでプラスチック材料の酸化を防ぐことも、もちろん可能である。
【００４３】
請求項１５記載の発明は、請求項１〜１４のいずれか一項に記載の光ピックアップ装置用の対物レンズであって、前記プラスチック樹脂と前記無機粒子との体積比が９：１〜３：２の範囲であることを特徴とする。
【００４４】
請求項１６記載の発明は、請求項１〜１５のいずれか一項に記載の光ピックアップ装置用の対物レンズであって、前記第1光学素子に対して前記無機粒子を５〜８０重量％有することを特徴とする。
【００４５】
本発明におけるプラスチック材料への無機粒子の添加量は必要とする性能を鑑みて適宜調整することができ、特に限定はないが、無機粒子の添加量が全重量に対し５重量％以上、８０重量％以下であることが好ましい。
本発明においては、ナノレベルの無機粒子をプラスチック樹脂に添加した後、射出成形することで光学素子を得ることができるが、無機粒子の添加量が上述の範囲を下回ると、性能の改善（アサーマル性の向上）が充分に得られない場合がある。
【００４６】
また、逆に添加量が上述の範囲を超える場合、成形性が悪化したり、光学素子としての重量が増加したりして、樹脂材料（成形材料）としての性能が低下する場合がある。更に、成形にあたり粒子の周りに焼けなどの問題が生じる場合がある。
本発明者らは、さまざまな樹脂の屈折率・屈折率の温度変化率、更に無機粒子の性質、及び混合した樹脂の成形性等を鑑みて、上述の好ましい範囲を特定することができた。
【００４７】
無機粒子が有するｄｎ2／ｄｔ2の値によってアサーマル性の効果は異なるが、無機粒子を５重量％以上添加することでアサーマル性の改善効果が得られる。ＰＬＺＴやＬｉＮｂＯ3等の無機粒子を用いる場合は、５重量％以上添加することで、樹脂のｄｎ／ｄｔを約１０％以上軽減させることができる為、これにより温度変化による収差変化を補正する必要性が低下する。このため、光学設計の自由度を増加させることができる。
一方、無機粒子の添加量を８０重量％以下とすることにより、比重の増加を抑えることができる。特に光学素子が、光ピックアップ装置内で駆動させる光学素子である場合、重量の増加による駆動部材（アクチュエータ）の消費電力増大を抑えることができ、消費電力増大による高温の発生を抑えることができる。
【００４８】
本発明の光学素子においては、無機粒子の添加量を調整することにより、樹脂のｄｎ／ｄｔを逆転させることも可能である。つまり、光学素子の温度が上昇するに従って、屈折率が増加するようにせしめることも可能である。例えばＬｉＮｂＯ3からなる無機粒子をアクリル樹脂中に分散させる場合、無機粒子の添加量を４０重量％以上とすることによりアクリル樹脂のｄｎ／ｄｔの符号を逆転させることができる。このような構成を有する光学素子は温度変化に対して過剰補正となる為、通常の樹脂からなる光学素子と組み合わせることにより、お互いの温度変化による屈折率変化を相殺することも可能である。このように、一部の光学素子を過剰補正とすることにより、光学系において、全ての光学素子をアサーマル化しなくても、全系において温度変化による屈折率変化を相殺することができる。
【００４９】
本発明の光学素子の母材となる樹脂材料は、たとえば、アクリル樹脂に、酸化ニオブ（Ｎｂ2Ｏ5）の微粒子を分散させることで得られる。
前記の母材となるプラスチック樹脂は体積比で８０、酸化ニオブは２０程度の割合であり、これらを均一に混合する。微粒子は凝集しやすいという問題があるが、粒子表面に電荷を与えて分散させる等の技術により、必要な分散状態を生じさせることが出来る。
なお、この体積比率は、屈折率の温度に対する変化の割合をコントロールするために、適宜増減できるし、複数種類のナノサイズ無機粒子をブレンドして分散させることも可能である。
【００５０】
体積比率は、上記の例では８０：２０、すなわち４：１であるが、９０：１０（９：１）から６０：４０（３：２）までの間で適宜調整可能である。９：１よりも少ないと温度変化抑制の効果が小さくなり、逆に３：２を越えると樹脂の成形性に問題が生じるために好ましくない。
【００５１】
請求項１７記載の発明は、請求項１〜１６のいずれか一項に記載の光ピックアップ装置用の対物レンズを備えたことを特徴とする。
【００５２】
請求項１８記載の発明は、請求項１７に記載の光ピックアップ装置を搭載して光情報記録媒体に対する情報の記録及び再生のうち、少なくとも一方を実行可能であることを特徴とする。
【発明の効果】
【００５３】
本発明によれば、少なくとも２つ光学素子から構成された対物レンズ内に光軸に対し非回転対称な温度分布が発生した場合の非点収差の変化量が小さく、高密度光ディスクに対して安定した情報の記録／再生を高速に行うことが出来る光ピックアップ装置用の対物レンズ、この対物レンズを用いた光ピックアップ装置、及びこの光ピックアップ装置を用いた光情報記録再生装置を提供することが出来る。
【発明を実施するための最良の形態】
【００５４】
以下、図面に基づいて本発明の実施の形態を詳細に説明するが、本発明はこれらの実施の形態に限定されるものではない。
【００５５】
図1は、本実施の形態の光ピックアップ装置の概略図であり、光ピックアップ装置ＰＵは、光源としての青紫色半導体レーザーＬＤ、偏光ビームスプリッターＢＳ、１／４波長板ＷＰ、コリメーターＣＬ、絞りＳＴ、対物レンズＯＢＪ、フォーカシング／トラッキング用の２軸アクチュエータＡＣ、シリンドリカルレンズＣＹ、凹レンズＮＬ、及び光検出器ＰＤとから成る。尚、以下の説明において、便宜上、光軸方向に沿って光源に向かう方向を「前方」と表記し、光情報記録媒体に向かう方向を「後方」と表記する。
青紫色半導体レーザーＬＤから射出された発散光束は、偏光ビームスプリッターＢＳを通過し、コリメートレンズＣＬ及び１／４波長板を経て円偏向の平行光束となった後、絞りＳＴにより光束径が規制され、対物レンズＯＢＪによって高密度光ディスクＯＤの保護層ＰＬを介して情報記録面ＲＬ上に形成されるスポットとなる。
【００５６】
情報記録面ＲＬで情報ピットにより変調された反射光束は、再び対物レンズＯＢＪ，絞りＳＴ，及び１／４波長板ＷＰを透過することにより直線偏光となり、コリメートレンズＣＬを経て収束光になった後、偏光ビームスプリッターＢＳによって反射され、シリンドリカルレンズＣＹ、凹レンズＮＬを経ることにより非点収差が与えられ、光検出器ＰＤに収束する。そして、光検出器ＰＤの出力信号を用いて高密度光ディスクＰＬに記録された情報を読み取ることが出来る。
尚、波長400nm程度のレーザー光を射出する光源として、青紫色半導体レーザーの代わりに、第二高調波発生法を利用したＳＨＧ青紫色レーザーを使用しても良い。
【００５７】
図２に示すように、対物レンズＯＢＪは青紫色半導体レーザーＬＤからのレーザー光束を高密度光ディスクＯＤの保護層ＰＬを介して情報記録面ＲＬ上に集光させる機能を有する。
対物レンズＯＢＪは、青紫色半導体レーザーＬＤ側に配置されたプラスチック樹脂に、直径が30nm以下の無機粒子を分散させた樹脂製の光学素子L1と、高密度光ディスクＯＤ側に配置された正のパワーを有する第2光学素子L2とから構成される２群構成であり、これら２つの光学素子を組み合わせて得られる像側開口数ＮＡは０．８５である。
尚、本発明で用いられる対物レンズＯＢＪとしては、少なくとも２群以上の構成であれば良く、図２に示すような２群のみの構成には限定されない。
【００５８】
更に、第１光学素子L1、第２光学素子L２、接合部材SEを用い接合されていることで、第1光学素子L1と、第2光学素子L2は一体となってフォーカシングやトラッキングを行う。
【００５９】
図３(a),(b)は、対物レンズＯＢＪ付近の詳細図である。接合部材SEの当接により、２軸アクチュエータＡＣで駆動されるボビンＢに保持されている。尚、２軸アクチュエータＡＣの動作は周知であるため説明を省略する。又、符号ＭＧはマグネットを示す。
通常、対物レンズＯＢＪの作動距離（ワーキングディスタンス）を確保する観点から、フォーカシングコイルＦＣ及びトラキングコイルＴＣは、対物レンズＯＢＪの後端（本実施の形態においては第２光学素子Ｌ２の出射面）よりも前方に配置されることが多く、また、フォーカシングコイルＦＣ及びトラッキングコイルＴＣの重心ＧＣ及びＧＣ'は、各コイルの前後方向の長さの中心近傍に位置することになる。
【００６０】
従って、フォーカシングコイルＦＣとトラッキングコイルＴＣは、その重心位置ＧＣとＧＣ'が第２光学素子Ｌ２の重心位置ＧＬ２よりも青紫色半導体レーザーＬＤ側に位置することになる。即ち、第１光学素子Ｌ１は、第２光学素子Ｌ２よりもフォーカシングコイルＦＣ及びトラッキングコイルＴＣに近い位置に配置することになる。
従って、光ピックアップ装置ＰＵの動作中には、フォーカシングコイルＦＣ及びトラッキングコイルＴＣから生じる熱の影響を受けて対物レンズＯＢＪの温度が上昇するが、図３に示すように、フォーカシングコイルＦＣ及びトラッキングコイルＴＣは、第２光学素子Ｌ２よりも第１光学素子Ｌ１に近い位置に配置され、且つ、対物レンズＯＢＪの光軸に関して非回転対称に取り付けられているため、対物レンズＯＢＪ内（特に、第１光学素子内）には光軸に対して非回転対称な温度分布が生じる。
【００６１】
しかし、本発明に係る光ピックアップ装置用対物レンズＯＢＪでは上記式（１）を満たすように設計されているので、対物レンズＯＢＪ内に不均一な温度分布が生じた場合でも、非点収差変化を小さく抑えることが出来、高密度光ディスクＯＤに対して高速で安定した情報の記録／再生を行うことが可能となっている。
なお、第１光学素子Ｌ１の光源側光学面の有効径をＥ１、外径をＤ１とした時に、式（４）を満たすように第１光学素子Ｌ１及び第２光学素子Ｌ２を設計することが好ましい。
【００６２】
また、図示は省略するが、上述した光ピックアップ装置ＰＵ、光情報記録媒体ＯＤを回転自在に保持する回転駆動装置、これら各種装置の駆動を制御する制御装置を搭載し、光情報記録媒体ＯＤに対する光情報の記録及び光情報記録媒体ＯＤに記録された情報の再生のうち少なくとも一方の実行が可能な光情報記録再生装置を得ることが出来る。
【実施例】
【００６３】
次に、上述した対物レンズとして好適な対物レンズについて説明する。先ず、式（1）を満たさないように設計された対物レンズを表3に示し、式（１）を満たすように設計されたレンズを表4,5に示す。何れの対物レンズも、第1光学素子の光源側の光学面に第1図３に示したような位相構造（回折構造）が形成されており、BDの波長に対しては0次回折光強度が最大になり、DVDの波長に対しては+１次光回折強度が最大になることで、BDとDVDの記録面保護層の厚さが異なることにより発生する球面収差変化を小さくし、BD,DVDの異なる規格に対し、設計状態においては良好に情報の記録／再生が出来る様設計されている。
【００６４】
[比較例]
BD：NA1=0.85、λ1＝407.7nm、 f1=1.765、m1=0、
DVD：NA2=0.65、λ2=660.0nm、 f2= 1.825、m2=0
【００６５】
【表３】
2006048865.tif 000008
【００６６】
[実施例１]
BD：NA1=0.85、λ1＝407.7nm、 f1=1.765、m1=0、
DVD：NA2=0.65、λ2=660.0nm、 f2= 1.825、m2=0
【００６７】
【表４】
2006048865.tif 000009
【００６８】
[実施例２]
BD：NA1=0.85、λ1＝407.7nm、 f1=1.765、m1=0、
DVD：NA2=0.65、λ2=660.0nm、 f2= 1.825、m2=0
【表５】
2006048865.tif 000010
【００６９】
表3〜表5においてNAは開口数、λ(nm)は設計波長、f(mm)は焦点距離、mは光学系倍率、r(mm)は曲率半径、nλは波長λ、25℃における屈折率、Ａ[1/℃]はレンズの屈折率の温度依存性を表し、非球面はその面の頂点に接する平面からの変形量をＸ(mm)、光軸に垂直な方向の高さをｈ(mm)、曲率半径をr(mm)とするとき、次式（数４）で表される。但し、κを円錐係数、A2iを非球面係数とする
【００７０】
【数４】
2006048865.tif 000011
又、各実施例における回折構造は、これらの構造により透過波面に付加される光路差で表される。かかる光路差は、λを入射光束の波長、λBを製造波長、光軸に垂直な方向の高さをh(mm)、B2jを光路差係数、nを回折次数とするとき次式（数５）で定義される光路差関数Φ(mm)で表される。
【数５】
2006048865.tif 000012
【００７１】
【表６】
2006048865.tif 000013
【００７２】
次に、温度分布について説明する。対物レンズの温度変化は対物レンズの屈折率変化として考えることができる。本実施は対物レンズ内に発生する温度分布を屈折率分布として扱った。分布の仕方は、光軸を含む基準の平面を考える。その平面に平行で、更にその平面との間隔がｈの平面を2面考える。２つの平面は基準の平面が光軸を含むために必ず光軸に平行になる。この二枚の平面が第１光学素子及び第２光学素子と交わる各位置での温度（屈折率）が等しいとし、更にこの温度がｈの２乗でhが大きくなるほど温度が高くなるとしてシミュレーションを行った。また、光軸方向の温度分布は光軸が回転対称のため、非点収差の発生に寄与しないので、本シミュレーションでは光軸方向の温度分布は考慮していない。図４は第1光学素子の外径が4.0mmで、中心温度の平均値ＴＣ（＝Ｔ１＝Ｔ２）と、ＴＨの差ＴＲとＴＨとＴＬの温度差ＴＰが等しい場合についてＴＲ（＝ＴＰ）が0℃〜2℃まで変化した場合の３次非点収差の変化量を求めた結果である。又、温度測定の結果から、TCとTRの温度差が1.18℃生じたときのトラッキングコイル、又はフォーカシングコイルに通電した電流量は2.5倍速に対応しているので、表6の式(3)の値のｘは2.5として計算した。尚、この計算には対物レンズの温度分布変化に伴う屈折率変化のみを考慮した。
【００７３】
即ち、本シミュレーションにおいて、第１光学素子内、第２光学素子内に与えた屈折率分布ＮL1(h)及びＮL2(h)は、光軸からの高さhの関数として、
ＮL1(h)＝Ｎ0L1＋Ｎh2L1・ｈ2
ＮL2(h)＝Ｎ0L2＋Ｎh2L2・ｈ2
で表される。
ここで、Ｎ0L1及びＮ0L2は、上記光軸を含む基準の平面(h=0)内での第１光学素子及び第２光学素子内におけるhに対する屈折率変化率である。上記式に関して、実施例１についての具体的な数値は以下のようになる。
【００７４】
図4の温度分布で、実施例1においてレンズの中心(h=0)と外周(h=2.0)の最高値の温度差が1.18℃の場合、第1光学素子の屈折率の温度依存性Δn/ΔTは−9.3E−5であるので、外周(h=2.0)における屈折率NL1(h=2.0)は、1.621214−9.3E−5×1.18＝1.62110426と成る。
したがって、hに対する屈折率変化率Nh2L1は1.62110426=1.621214+ Nh2L1・22より、Nh2L1=‐2.75E1‐5と成る。同様に第2光学素子についても計算すると、Nh2L2=7.69E‐7と成る。
【００７５】
式（１）を満たさない比較例は、上記温度分布の過程において対物レンズの中心と、最外周辺で最も温度の高い部分との温度差が２℃、即ち2.5倍速で情報の記録／再生を行うことに対応する状態で3次非点収差変化量が0.046[λrms]であるのに対し、式（１）を満たす実施例１及び2は3次非点収差の発生量が抑えられていることが分る。
このことから、実施例１及び２の対物レンズは、式（１）を満たすことにより、アクチュエータの発熱に起因して対物レンズ内に不均一な温度分布が生じた場合にも非点収差変化量が小さく抑えられており、高密度光ディスク用の光ピックアップ装置用の対物レンズとして十分な性能を有していることが言える。
【図面の簡単な説明】
【００７６】
【図１】光ピックアップ装置の構成を示す要部平面図である。
【図２】対物レンズの構造を示す要部側面図である。
【図３】アクチュエータの構造を示す要部平面図（ａ）及び要部縦断面図（ｂ）である。
【図４】実施例１、２及び比較例の対物レンズにおけるＴＲと３次非点収差との関係を示すグラフである。
【図５】「不均一な温度分布」について説明するための対物レンズの正面図（ａ）、側面図（ｂ）及び背面図（ｃ）である。
【図６】回折構造の一例を示す側面図（ａ）、（ｂ）である。
【図７】回折構造の一例を示す側面図（ａ）、（ｂ）である。
【図８】回折構造の一例を示す側面図（ａ）、（ｂ）である。
【図９】回折構造の一例を示す側面図（ａ）、（ｂ）である。
【符号の説明】
【００７７】
ＰＵ   光ピックアップ装置
ＯＢＪ 対物レンズ
ＰＤ   光検出器
ＬＤ   青紫色半導体レーザー
Ｌ１   第１光学素子
Ｌ２   第２光学素子
ＳＥ   接合部材
【図１】
2006048865.tif 000017
【図２】
2006048865.tif 000018
【図３】
2006048865.tif 000019
【図４】
2006048865.tif 000020
【図５】
2006048865.tif 000021
【図６】
2006048865.tif 000022
【図７】
2006048865.tif 000023
【図８】
2006048865.tif 000024
【図９】
2006048865.tif 000025